(57)【要約】【課題】記録媒体の消費量を抑えつつユーザの意図に対応した録画予約を実現する。【解決手段】この番組記録装置は、放送番組を選局する選局手段と、選局手段により選局された放送番組を記録する記録手段と、選局手段が選局した放送番組の選局情報を含む視聴情報を取得する視聴情報取得手段と、視聴情報取得手段が取得した視聴情報の履歴を蓄積する視聴履歴蓄積手段と、視聴履歴蓄積手段に蓄積された視聴履歴に基づいてユーザが視聴する放送番組の傾向を学習して視聴可能性の高い放送番組を予測する予測手段と、予測手段の予測結果に基づいて記録すべき放送番組を設定する記録設定手段と、視聴情報取得手段が取得している視聴情報および記録設定手段の設定結果に基づいて、選局手段および記録手段を制御して放送番組の記録を制御する記録制御手段とを具備する。【選択図】図５
2005176070.tif 000002
【特許請求の範囲】
【請求項１】
放送番組を選局する選局手段と、
前記選局手段により選局された放送番組を記録する記録手段と、
前記選局手段が選局した放送番組の選局情報を含む視聴情報を取得する視聴情報取得手段と、
前記視聴情報取得手段が取得した前記視聴情報の履歴を蓄積する視聴履歴蓄積手段と、
前記視聴履歴蓄積手段に蓄積された視聴履歴に基づいてユーザが視聴する放送番組の傾向を学習して視聴可能性の高い放送番組を予測する予測手段と、
前記予測手段の予測結果に基づいて記録すべき放送番組を設定する記録設定手段と、
前記視聴情報取得手段が取得している視聴情報および前記記録設定手段の設定結果に基づいて、前記選局手段および前記記録手段を制御して放送番組の記録を制御する記録制御手段と
を具備したことを特徴とする番組記録装置。
【請求項２】
前記放送番組の放送波に付加された放送番組情報を取得する番組情報取得手段と、
前記番組情報取得手段が取得した放送番組情報を記録する番組情報記録手段とをさらに備え、
前記予測手段は、前記視聴履歴蓄積手段に蓄積された視聴履歴および前記番組情報記録手段に記録された放送番組情報に基づいてユーザが視聴する放送番組の傾向を学習して視聴可能性の高い放送番組を予測し、
前記記録制御手段は、前記視聴情報取得手段が取得している視聴情報、前記記録設定手段の設定結果および前記番組情報記録手段に記録された放送番組情報に基づいて記録すべき放送番組の日時および放送波を特定し、前記選局手段および前記記録手段を制御して放送番組の記録を制御すること
を特徴とする請求項１記載の番組記録装置。
【請求項３】
前記記録制御手段は、前記記録設定手段により設定された記録すべき放送番組であって前記選局手段により選局されていない放送番組のうち、前記予測手段が視聴可能性を高いと予測した放送番組について記録を開始することを特徴とする請求項１または２に記載の番組記録装置。
【請求項４】
ユーザが視聴する放送番組の選局情報を含む視聴情報を取得するステップと、
前記取得された視聴情報の履歴を蓄積するステップと、
前記蓄積された視聴情報の履歴に基づいて前記ユーザが視聴する放送番組の傾向を学習して視聴可能性の高い放送番組を予測するステップと、
前記予測結果に基づいて記録すべき放送番組を録画候補番組情報として設定するステップと、
前記取得された視聴情報および前記設定された録画候補番組情報に基づいて放送番組を選局して記録を実行するステップと
を有することを特徴とする番組録画方法。
【発明の詳細な説明】
【技術分野】
【０００１】
本発明は、放送番組などを記録し再生する番組記録装置および番組記録方法に関し、例えばテレビジョン放送などの番組記録装置、番組記録方法に関する。
【背景技術】
【０００２】
地上波放送や衛星放送などのテレビジョン放送の普及に伴い、テレビジョン放送の放送番組を記録し再生するための番組記録装置が広く普及してきている。番組記録装置は、従来、映像信号および音声信号をテープ媒体などに記録するものが大半であったが、デジタル信号処理技術の発達により、ハードディスクや光ディスクなどの記録媒体（記録メディア）に放送番組をディジタル信号として記録する番組記録装置も登場している。また、一般に番組記録装置はタイマー装置などを内蔵しており、あらかじめ日時を指定することで自動的に番組を録画する録画予約機能を備えている。
【０００３】
従来、録画予約のためには、所望の放送番組が放送される日時をユーザ自らがタイマー装置などに設定する必要があった。こうしたユーザの負担を軽減するための方法として、例えば、インターネットなどを通じて提供される放送番組表データ（電子番組ガイド：Electronic Program Guide。以下ＥＰＧ情報という。）をユーザが選択することにより、番組記録装置が対応する日時データを自動的に取り込み、当該日時データを録画日時として自動的に設定する方法などが知られている。また、録画日時を自動的に設定する方法の応用として、番組記録装置がユーザの視聴する番組の傾向を予測する予測手段を備えることで、ユーザの視聴する放送番組の傾向に応じて自動的に録画予約設定を実行する方法などが提案されている（例えば特許文献１）。
【０００４】
ところで、従来の番組記録装置では、予約された放送番組を全て録画するため、予約した放送番組の長さに対応した分量の記録媒体を用意しておく必要があった。また、ユーザが録画予約設定を解除した場合、録画予約の再設定を忘れて録画を失敗するおそれもあった。
【特許文献１】特開平１１−３４５４４６号公報
【発明の開示】
【発明が解決しようとする課題】
【０００５】
このように、従来の番組記録装置、番組記録方法では、予約した放送番組の長さに対応する分量の記録媒体を予め用意する必要があるという問題がある。また、従来の番組記録装置、番組記録方法では、設定された録画予約をユーザ自ら解除した場合、再設定を忘れるおそれがあるという問題がある。
【０００６】
本発明はこのような課題を解決するためになされたもので、記録媒体の消費量を抑えつつユーザの意図に対応した録画予約を実現することのできる番組記録装置、番組記録方法を提供することを目的としている。
【課題を解決するための手段】
【０００７】
上記した目的を達成するために、第１の発明の番組記録装置は、放送番組を選局する選局手段と、選局手段により選局された放送番組を記録する記録手段と、選局手段が選局した放送番組の選局情報を含む視聴情報を取得する視聴情報取得手段と、視聴情報取得手段が取得した視聴情報の履歴を蓄積する視聴履歴蓄積手段と、視聴履歴蓄積手段に蓄積された視聴履歴に基づいてユーザが視聴する放送番組の傾向を学習して視聴可能性の高い放送番組を予測する予測手段と、予測手段の予測結果に基づいて記録すべき放送番組を設定する記録設定手段と、視聴情報取得手段が取得している視聴情報および記録設定手段の設定結果に基づいて、選局手段および記録手段を制御して放送番組の記録を制御する記録制御手段とを具備している。
【０００８】
第２の発明の番組記録装置は、第１の発明の番組記録装置において、放送番組の放送波に付加された放送番組情報を取得する番組情報取得手段と、番組情報取得手段が取得した放送番組情報を記録する番組情報記録手段とをさらに備え、予測手段は、視聴履歴蓄積手段に蓄積された視聴履歴および番組情報記録手段に記録された放送番組情報に基づいてユーザが視聴する放送番組の傾向を学習して視聴可能性の高い放送番組を予測し、記録制御手段は、視聴情報取得手段が取得している視聴情報、記録設定手段の設定結果および番組情報記録手段に記録された放送番組情報に基づいて記録すべき放送番組の日時および放送波を特定し、選局手段および記録手段を制御して放送番組の記録を制御することを特徴としている。
【０００９】
第３の発明の番組記録装置は、第１の発明または第２の発明において、記録制御手段は、記録設定手段により設定された記録すべき放送番組であって選局手段により選局されていない放送番組のうち、予測手段が視聴可能性を高いと予測した放送番組について記録を開始することを特徴としている。
【００１０】
第４の発明の番組記録方法は、ユーザが視聴する放送番組の選局情報を含む視聴情報を取得するステップと、取得された視聴情報の履歴を蓄積するステップと、蓄積された視聴情報の履歴に基づいてユーザが視聴する放送番組の傾向を学習して視聴可能性の高い放送番組を予測するステップと、予測結果に基づいて記録すべき放送番組を録画候補番組情報として設定するステップと、取得された視聴情報および設定された録画候補番組情報に基づいて放送番組を選局して記録を実行するステップとを有している。
【００１１】
本発明では、視聴情報を監視し記録する視聴状況記録手段と、ユーザの視聴する放送番組の傾向を学習し視聴可能性の高い放送番組を予測する予測手段と、予測手段の予測結果に基づいて記録すべき放送番組を設定する記録設定手段とを備えて、視聴状況記録手段の監視結果および記録設定手段の設定結果に基づいて放送番組の記録を制御するので、必要とする記録媒体を最小限にすることができる。
【発明の効果】
【００１２】
本発明によれば、記録媒体の消費量を抑えつつユーザの意図に対応した録画予約を実現することができる。
【発明を実施するための最良の形態】
【００１３】
以下、本発明の実施の形態を図面を参照して詳細に説明する。図１は、本発明に係る第１の実施形態の番組記録装置の全体構成を示す図である。図１に示す番組記録装置は、ＥＰＧ情報がＥＰＧ信号として重畳されたディジタル放送波を受信して任意の番組を記録し再生する。
【００１４】
図１に示すように、この実施形態の番組記録装置１００は、指示入力部１０１、システム制御部１０２、録画管理部１０３、ＥＰＧ管理部１０４、チューナ部１０５、暗号解除部１０６、逆多重化部１０７、復号部１０８、出力制御部１０９、ＥＰＧ画面構成部１１０、音声出力部１１１、画像出力部１１２および情報記録再生部１１３などを備えており、互いに制御用信号線としてのバス１１４により接続されている。これらの構成要素は、電子部品によりハードウェアとして実現してもよいし、メモリ手段をさらに備えて当該メモリ手段に記憶されたソフトウェアとして実現してもよい。
【００１５】
指示入力部１０１は、例えばキーボードやマウス、入力パッドなどの入力デバイスが接続された情報入力インタフェースである。そして、指示入力部１０１は、ユーザから入力された情報や指示などから、録画対象や録画時刻などからなる録画設定情報を生成して、バス１１４を介してシステム制御部１０２、録画管理部１０３およびＥＰＧ管理部１０４などに渡す作用をする。
システム制御部１０２は、この番組記録装置１００の全体の動作を制御する作用をする。また、システム制御部１０２は、番組記録装置１００を介して視聴される放送波や日時など番組の視聴状況を記録し、ユーザが視聴する番組の嗜好傾向を抽出して学習し、ユーザの視聴可能性の高い番組を予測する作用をする。
【００１６】
録画管理部１０３は、この番組記録装置１００において放送番組の録画予約を管理する作用をする。すなわち、指示入力部１０１を介して入力されたユーザの指示に基づいて記録すべき録画対象放送波および日時、または録画番組名を決定し、録画処理を実行する作用をする。また、システム制御部１０２により抽出し予測されたユーザの嗜好傾向に基づいて録画すべき録画対象放送波および日時、または録画番組名を決定する作用をする。
ＥＰＧ管理部１０４は、放送波に付加されて伝送されるＥＰＧ信号に基づいてＥＰＧ情報を取得し記録する作用をする。なお、ＥＰＧ情報は、放送波に付加されたＥＰＧ信号から取得されるものに限られず、図示しない通信手段などを介して送られるＥＰＧ信号から取得されてもよい。
【００１７】
チューナ部１０５は、アンテナ１１５から取り込まれるディジタル放送の放送波から所望の放送波の放送番組を選局する同調装置であり、アンテナ１１５および暗号解除部１０６が接続されている。ここで、選局される所望の放送波は、一つの放送波に限られず複数の放送波でもよい。その場合、選局された複数の放送波は別個独立の放送波として出力される。また、ディジタル放送の放送波は、アンテナ１１５から取り込まれるものに限られず、ケーブルテレビ局などからケーブルを介してチューナ部１０５に伝送されるものでもよい。
暗号解除部１０６は、チューナ部１０５により選局された放送波にかけられたスクランブルを解除して逆多重化部１０７へ出力するデスクランブラである。なお、暗号解除部１０６は、無料放送など暗号化されていない放送波を選局した場合、暗号解除処理をせずそのまま出力するように構成してもよい。
逆多重化部１０７は、暗号解除部１０６により暗号が解除された放送波の多重信号を要素ごとに分離するデマルチプレクサであり、復号部１０８が接続されている。すなわち、逆多重化部１０７は、デジタル化され多重化された音声信号、映像信号およびＥＰＧ信号をそれぞれ分離して復号部１０８へ出力する作用をする。
【００１８】
復号部１０８は、音声復号部１２１、映像復号部１２２およびＥＰＧ復号部１２３などを備えた復号装置であり、逆多重化部１０７、出力制御部１０９および情報記録再生部１１３などが接続されている。復号部１０８は、逆多重化部１０７により音声信号、映像信号およびＥＰＧ信号に分離された放送波の信号をそれぞれ復号して、ディジタル音声信号、ディジタル映像信号およびＥＰＧ信号として出力制御部１０９およびＥＰＧ画面構成部１１０に出力する作用をする。
ＥＰＧ画面構成部１１０は、ＥＰＧ復号部１２３により復号されたＥＰＧ信号に基づいて、放送番組名、放送チャンネル、放送開始時刻、放送終了時刻などからなるＥＰＧ情報を構成する作用をする。すなわち、ユーザに提供するＥＰＧ情報の表示データを生成する。
出力制御部１０９は、Ｄ／Ａ変換部１３１、表示制御部１３２および操作画面構成部１３３などを備えており、復号部１０８、ＥＰＧ画面構成部１１０、音声出力部１１１および映像出力部１１２などがそれぞれ接続されている。出力制御部１０９は、復号されたディジタル信号を音声信号および映像信号に変換する作用をする。すなわち、Ｄ／Ａ変換部１３１は、音声復号部１２１により復号されたディジタル音声信号をアナログ音声信号に変換する。操作画面構成部１３３は、ユーザが与えた指示内容やユーザに対する応答内容を、表示し得る映像信号として生成する作用をする。表示制御部１３２は、映像復号部１２２により復号されたディジタル映像信号を表示し得る映像信号に変換するとともに、ＥＰＧ画面構成部１１０により構成されたＥＰＧ情報の表示データを表示し得る映像信号に変換する。
【００１９】
音声出力部１１１は、Ｄ／Ａ変換部１３１により変換されたアナログ音声信号を出力するインタフェースであり、スピーカなどの音声出力装置に音声信号を出力する作用をする。なお、音声出力部１１１は、スピーカなどの音声出力装置を備えて直接音声として出力するように構成してもよい。
画像出力部１１２は、表示制御部１３２により変換された映像信号を出力するインタフェースであり、例えば液晶ディスプレイなどの表示装置に映像信号を出力する作用をする。なお、画像出力部１１２は、ブラウン管や液晶表示装置などを備えて直接映像を表示できるように構成してもよい。
【００２０】
情報記録再生部１１３は、例えばハードディスク装置、ＣＤやＤＶＤなどのメディア記録再生装置であり、復号部１０８などが接続されている。情報記録再生部１１３は、復号部１０８により復号されたディジタル音声信号およびディジタル映像信号を所定のフォーマットに変換して記録するとともに、メディアに記録されたディジタル音声信号およびディジタル映像信号を再生して復号部１０８、出力制御部１０９などを介して音声や映像などとして再生する作用をする。
【００２１】
続いて、図１乃至図４を参照して、番組記録装置１００の動作を説明する。図２は、ＥＰＧ情報の表示例を示す図、図３は、録画候補番組リストの例を示す図、図４は、録画確認表示の例を示す図である。
【００２２】
まずＥＰＧ情報の取得動作について説明する。
この番組記録装置１００において、ＥＰＧ情報は、放送波に重畳されまたは付加されたＥＰＧ信号として、アンテナ１１５またはケーブルを介してチューナ部１０５に入力される。チューナ部１０５は、ＥＰＧ信号を含んだ放送波をユーザの指示に基づいて選局し暗号解除部１０６に出力する。なお、ユーザの指示によらず常にＥＰＧ信号を含む放送波を選局してＥＰＧ信号を常に受信するように構成してもよい。
【００２３】
選局された放送波に含まれるＥＰＧ信号は、暗号解除部１０６により暗号が解除され、逆多重化部１０７によりＥＰＧ信号として音声信号や映像信号と分離される。ＥＰＧ復号部１２３は、分離されたＥＰＧ信号を復号しＥＰＧ情報としてＥＰＧ管理部１０４およびＥＰＧ画面構成部１１０に出力する。ＥＰＧ管理部１０４は、ＥＰＧ復号部１２３からＥＰＧ情報を取得してＥＰＧ管理部１０４の記憶領域（メモリ領域）に蓄積する。ＥＰＧ画面構成部１１０は、ＥＰＧ復号部１２３またはＥＰＧ管理部１０４からのＥＰＧ情報を画面表示データとして構成し、出力制御部１０９および画像出力部１１２を介してユーザに提供する。
図２に示すように、ＥＰＧ画面構成部１１０が構成するＥＰＧ情報２０１は、年月日情報２０２、時刻情報２０３、放送局ごとの番組情報２０４ａ乃至２０４ｅなどを有している。
【００２４】
続いて、録画設定動作について説明する。
ユーザは、画像出力部１１２を介して提供されるＥＰＧ情報２０１を参照し、指示入力部１０１を介して放送波や放送番組の選局、録画設定などを行うことができる。例えば、ユーザが指示入力部１０１に接続されたマウスなどを用いて、ＥＰＧ情報２０１に表わされた番組情報２０４ａ乃至２０４ｅの中から所望の番組表示についてクリックなどの入力操作を行うと、指示入力部１０１は、クリックされた番組表示に対応する録画設定情報を生成して操作画面構成部１３３に送る。録画設定情報を受け取った操作画面構成部１３３は、当該録画設定情報に対応する番組表示の表示を変化させるよう表示制御部１３２に指示する。表示制御部１３２は、ＥＰＧ画面構成部１１０から送られるＥＰＧ情報と操作画面構成部１３３から送られる指示とに基づいて、ＥＰＧ情報２０１の表示画面を構成し画像出力部１１２に出力する。図２に示す例では、ユーザの指示により録画設定された放送番組として、放送番組２０５ａ乃至２０５ｅが選択された様子が示されている。
【００２５】
一方、ユーザからの録画設定指示を受けると、指示入力部１０１は、生成した録画設定情報を、操作画面構成部１３３に加えて録画管理部１０３にも送る。録画設定情報を受け取った録画管理部１０３は、日時および放送局単位で、あるいは放送番組名単位で録画予約の基礎情報となる録画候補番組リストを作成して、録画管理部１０３の記憶領域（メモリ領域）に記憶する。録画候補番組リストは、録画設定された数に対応する数の録画設定情報を含んでいる。図３に示すように、録画管理部１０３が作成する録画候補番組リスト３０１は、年月日情報３０２、曜日情報３０３、開始時刻情報３０４、終了時刻情報３０５、チャンネル情報３０６および番組名情報３０７などから構成されている。また、図３に示す例では、録画設定情報として録画設定情報３０８ａ乃至３０８ｅが記録されている。
【００２６】
ユーザからの指示が年月日情報３０２および開始時刻情報３０４のみの場合、録画管理部１０３は、終了時刻情報３０５や番組名情報３０７などユーザから与えられなかった情報をＥＰＧ管理部１０４から検索して読み出し、録画候補番組リストに追加する。逆に、ユーザが画像出力部１１２に表示されたＥＰＧ情報を参照して放送番組名のみを指示として与えた場合、録画管理部１０３は、年月日情報３０２、開始時刻情報３０４、終了時刻情報３０５およびチャンネル情報３０６などをＥＰＧ管理部１０４から検索して読み出し、録画候補番組リストに追加する。従って、録画管理部１０３は、放送番組名のみが与えられた場合でも録画候補番組リストを生成することができる。また、ユーザが断片的な指示しか与えなかった場合でも、録画管理部１０３は、ＥＰＧ管理部１０４から必要な情報を読み出すことで録画候補番組リストを生成することができる。
【００２７】
ここで、システム制御部１０２は、チューナ部１０５が選局している放送波に関する選局情報や録画管理部１０３に記録された録画設定情報などからユーザの視聴状況を監視して、ユーザの視聴傾向を集計し記録している。そして、システム制御部１０２は、ユーザからの指示がない場合でも、集計したユーザの視聴傾向から視聴可能性の高い放送番組を予測して録画設定情報を生成し、当該録画設定情報を録画候補番組リストに加えるよう録画管理部１０３に指示することができる。指示を受けた録画管理部１０３は、システム制御部１０２が生成した録画設定情報に基づき録画候補番組リストを生成する。従って、録画管理部１０３は、ユーザから録画設定指示がされない場合でも、システム制御部１０２が集計したユーザの視聴傾向に基づいて、録画候補番組リストを作成することができる。
【００２８】
続いて、録画動作について説明する。
録画管理部１０３は、作成した録画候補番組リストに基づいて録画処理を実行する。録画候補番組リストのいずれかの録画設定情報に設定された録画開始時刻になると、録画管理部１０３は、録画候補番組リストの録画設定情報に基づいてチューナ部１０５に放送波の選局を指示する。指示を受けたチューナ部１０５は、当該放送波を選局する。選局された放送波は、暗号解除部１０６により暗号が解除され、逆多重化部１０７によりディジタル音声信号、ディジタル映像信号、ＥＰＧ信号などに分離される。そして、録画管理部１０３は、分離されたディジタル音声信号およびディジタル映像信号を記録するよう情報記録再生部１１３に指示する。指示を受けた情報記録再生部１１３は、当該ディジタル音声信号やディジタル映像信号を記録に適したフォーマットに変換して所定のメディアに記録する。
【００２９】
なお、録画候補番組リストに設定された録画開始時刻になったときに、チューナ部１０５が既にいずれかの放送波を選局し、映像出力部１１２が映像信号を出力している場合、すなわち番組記録装置１００が記録、再生など何らかの動作状態にある場合、録画管理部１０３はシステム制御部１０２に録画の可否を問い合わせる。問い合わせを受けたシステム制御部１０２は、操作画面構成部１３３に対して録画の可否を問い合わせる画面表示の出力を指示する。指示を受けた操作画面構成部１３３は、問い合わせの画面表示を構成し、表示制御部１３２を介して画像出力部１１２に出力する。図４に示すように、問い合わせ表示４０１は、録画設定情報４０２と、質問表示４０３ａおよび４０３ｂなどを有している。ユーザは、問い合わせ表示４０１に対応して、マウスなどにより「はい」を示す質問表示４０３ａをクリックする等により、指示入力部１０１を通じて録画実行を指示することができる。
【００３０】
録画候補番組リストの録画設定情報に設定された録画終了時刻になると、録画管理部１０３は、情報記録再生部１１３に情報の記録停止を指示する。指示を受けた情報記録再生部１１３は、情報の記録処理を停止する。
【００３１】
続いて、再生動作について説明する。
ユーザが指示入力部１０１を介して記録メディアの再生を指示すると、システム制御部１０２は、情報記録再生部１１３に対し記録メディアに記録された情報の再生を指示する。指示を受けた情報記録再生部１１３は、記録メディアを再生してディジタル音声信号およびディジタル映像信号を復号部１０８に出力する。再生されたディジタル音声信号およびディジタル映像信号は、出力制御部１０９によりアナログ変換や表示映像構成の処理が施されて音声出力部１１１および画像出力部１１２に出力され、スピーカや液晶ディスプレイなどを通じて音声および映像がユーザに提供される。
【００３２】
このように、この実施形態の番組記録装置１００によれば、ＥＰＧ情報を取得し記憶するので、日時情報だけでなく放送番組名により録画設定を行うことができる。また、この実施形態の番組記録装置１００によれば、ユーザの視聴傾向を抽出し視聴可能性の高い放送番組を予測して録画設定情報を生成するので、ユーザが明示的に録画設定をすることなしに録画設定を行うことができる。また、この実施形態の番組記録装置１００によれば、現在の視聴状況を監視するので、ユーザが録画予定番組以外の番組を視聴しているような場合でも、視聴していない録画対象番組を録画することができる。
【００３３】
次に、図５を参照してこの実施形態の番組記録装置における録画設定処理について詳細に説明する。図５は、この実施形態の番組記録装置の機能構成を示す図である。なお、図１に示す構成部分と同一の部分には同一の符号を付して示し、重複する説明は省略する。
図５に示すように、この実施形態の番組記録装置１００におけるシステム制御部１０２は、視聴状況記録部５０１、嗜好抽出部５０２および視聴状況判定部５０３などを有している。同じく録画管理部１０３は、予約管理部５０４、録画番組決定部５０５および録画制御部５０６などを有している。同じくＥＰＧ管理部１０４は、ＥＰＧ情報取得部５０７およびＥＰＧ情報記憶部５０８などを有している。
【００３４】
視聴状況記録部５０１は、チューナ部１０５の選局状態を監視して、ユーザが現在選局している放送波（チャンネル）、現在の日時、現在視聴中か録画中かなどの視聴情報を取得するとともに、視聴状況記録部５０１の記憶領域に当該視聴情報の履歴を蓄積する作用をする。併せて、視聴状況記録部５０１は、蓄積した放送波および日時などの視聴情報に基づきユーザが視聴し録画した放送番組名をＥＰＧ管理部１０４から読み出し、当該視聴情報の履歴に追加する。
嗜好抽出部５０２は、視聴状況記録部５０１が蓄積した視聴情報を参照して、ユーザの視聴傾向を集計し予測する作用をする。すなわち、嗜好抽出部５０２は、一週間単位や一ヶ月単位でユーザが視聴し録画した放送番組名を集計して視聴可能性の高い放送番組を記録し集計しており、当該視聴可能性の高い放送番組の中からユーザが所定の頻度以上で視聴または録画している放送番組を抽出し、録画管理部１０３に対し当該放送番組を録画候補番組リストに追加するよう指示する。
視聴状況判定部５０３は、視聴状況記録部５０１が蓄積した視聴情報を参照して、ユーザが現在どの放送番組を視聴し録画しているかを監視する作用をする。そして、録画管理部１０３が録画を実行する際にユーザが当該録画対象の放送番組を視聴中であるか否かを判定する。
【００３５】
予約管理部５０４は、ユーザが設定した録画設定や視聴抽出部５０２の指示に基づいて録画候補番組リストを生成して予約管理部５０４の記憶領域に記憶する作用をする。予約管理部５０４は、ユーザから指示された録画設定情報が年月日情報３０２、開始時刻情報３０４およびチャンネル情報３０６のみである場合、曜日情報３０３を図示しないシステムクロックから取得し、終了時刻情報３０５や番組名情報３０７などをＥＰＧ管理部１０４から取得して、録画候補番組リストに追加する。また、予約管理部５０４は、録画設定情報が放送番組名のみからなる場合、ＥＰＧ管理部１０４に当該放送番組名の放送日時やチャンネルなどを問い合わせて、録画候補番組リストに年月日情報３０２、開始時刻情報３０４、終了時刻情報３０５およびチャンネル情報３０６などを追加する。
録画番組決定部５０５は、予約管理部５０４が作成した録画候補番組リストに基づいて実際に番組を録画するか否か決定する作用をする。例えば、録画候補番組リストに含まれている放送番組であっても、ユーザが当該放送番組を視聴中である場合や、録画候補番組リストに重複してリストされている場合、日時が重複して異なる放送番組がリストされているような場合には、録画番組決定部５０５は、どの放送番組を録画すべきかを決定する。
録画制御部５０６は、録画番組決定部５０５が決定した録画すべき放送番組について、録画候補番組リストにリストされた年月日情報３０２、開始時刻情報３０４および終了時刻情報３０５などに基づいて、チューナ部１０５および情報記録再生部１１３に対し録画を指示する作用をする。また、録画制御部５０６は、録画予約によらず指示入力部１０１を介してユーザが即時録画を指示した場合、チューナ部１０５および情報記録再生部１１３に対し直ちに録画開始を指示する。
【００３６】
ＥＰＧ情報取得部５０７は、放送波に重畳されまたは付加されて伝送されるＥＰＧ情報を、ＥＰＧ復号部１２３を介して取得する作用をする。そして、ＥＰＧ情報取得部５０７は、放送日時や放送番組名、放送番組の出演者情報などをキーワードとして検索に有用な形式に変換してＥＰＧ情報記憶部５０８に記憶させる。ＥＰＧ情報記憶部５０８は、ＥＰＧ情報取得部５０７によって取得されたＥＰＧ情報が格納されるメモリなどの記憶手段である。
【００３７】
次に、図６を参照して、この実施形態の番組記録装置におけるユーザの視聴傾向に基づく録画動作を詳細に説明する。図６は、この実施形態に係る番組記録装置１００の録画動作を示すフローチャートである。
【００３８】
システム制御部１０２の視聴状況記録部５０１は、チューナ部１０５や出力制御部１０９、情報記録再生部１１３などを監視して、情報記録装置１００におけるユーザの番組視聴状況を視聴情報として取得するとともに、視聴状況記録部５０１の記憶領域に視聴情報の履歴を蓄積する（ステップＳ６０１。以下「Ｓ６０１」のように称する。）。例えば、情報記録装置１００が放送番組を受信しそのまま音声出力部１１１および画像出力部１１２に出力しているような場合、視聴状況記録部５０１は、ユーザが当該放送番組を視聴中であると判定して当該放送番組のチャンネル情報や時刻情報などを視聴情報として取得し、視聴状況記録部５０１の記録領域に蓄積する。また、番組記録装置１００が放送番組を受信し録画をしている場合、視聴状況記録部５０１は、チューナ部１０５から録画中の放送波のチャンネル情報や時刻情報などの視聴情報を取得し、視聴状況記録部５０１の記録領域に蓄積する。
【００３９】
嗜好抽出部５０２は、視聴状況記録部５０１に蓄積されたユーザの番組視聴状況（視聴情報）を参照して、ユーザの放送番組の視聴傾向を抽出して集計する（Ｓ６０２）。視聴傾向の集計は、例えば、一週間単位や一ヶ月単位で選局回数や録画回数の多い時間帯または放送番組名などを抽出して行われる。図２に示すＥＰＧ情報２０１において、２１時から２２時までＣ放送局を選局する傾向があること、すなわち当該時間帯にＣ放送局を視聴する傾向があることが集計結果として得られた場合、嗜好抽出部５０２は、ＥＰＧ記憶部５０８から当該時間帯の放送番組名２０５ｃとして「９時のニュース」を読み出し、視聴傾向の高い放送番組名の予測結果として嗜好抽出部５０２の記憶領域に記録する。なお、視聴傾向の高い放送番組の管理（予測結果の管理）は、放送番組名単位で行われてもよいし、チャンネル情報と時刻情報との組合せ単位で行われてもよい。
【００４０】
嗜好抽出部５０２は、当該視聴傾向の高い放送番組の中から所定の頻度で選局されまたは録画される放送番組について録画候補番組リストに追加するよう予約管理部５０４に指示する。指示を受けた予約管理部５０４は、嗜好抽出部５０２が抽出した放送番組名に基づいてＥＰＧ記憶部５０８から当該放送番組に対応する録画設定情報を読み出し、録画候補番組リストを生成する（Ｓ６０３）。例えば、図２に示す放送番組「９時のニュース」の視聴傾向が高いとして嗜好抽出部５０２から「９時のニュース」の録画設定指示を受けた場合、予約管理部５０４は、ＥＰＧ情報記憶部５０８から「９時のニュース」に対応する録画設定情報として、チャンネル情報２０４ｃとして４、開始時刻情報として２１時、終了時刻情報として２２時というＥＰＧ情報を読み出す。そして、予約管理部５０４は、開始時刻情報３０４を２１時、終了時刻情報３０５を２２時、チャンネル情報３０６を４として、録画候補番組リストに追加する。図３に示す例では、「９時のニュース」に対応する録画設定情報が、放送番組情報３０８ｃおよび放送番組情報３０８ｆとして録画候補番組リスト３０１に追加されている様子が示されている。
【００４１】
録画番組決定部５０５は、図示しないシステムクロックおよび予約管理部５０４に記憶された録画候補番組リストを監視している（Ｓ６０４）。録画候補番組リストの年月日情報３０２および開始時刻情報３０４が現在の年月日および時刻と一致しない場合（Ｓ６０４のＮｏ）、待機状態が維持される（Ｓ６０１）。
【００４２】
録画候補番組リストの年月日情報３０２および開始時刻情報３０４が現在の年月日および時刻と一致した場合（Ｓ６０４のＹｅｓ）、すなわち、録画候補番組リストの録画設定情報のうちいずれかの録画設定情報の録画開始時刻になった場合、録画番組決定部５０５は、該当する録画設定情報を予約管理部５０４に記憶された録画候補番組リストから読み出して録画開始の可否を視聴状況判定部５０３に問い合わせる（Ｓ６０５）。
【００４３】
問い合わせを受けた視聴状況判定部５０３は、視聴状況記録部５０１を参照して現在の視聴状況を確認する。確認の結果、チューナ部１０５が当該録画対象の放送番組を選局し、出力制御部１０９が当該放送番組を出力している場合、すなわち、ユーザが当該録画対象の放送番組を視聴中の場合（Ｓ６０５のＹｅｓ）、視聴状況判定部５０３は、録画不要と判定して判定結果を録画番組決定部５０５に返す。判定結果を受けた録画番組決定部５０５は、録画を開始せず待機状態が維持される（Ｓ６０１）。
【００４４】
確認の結果、チューナ部１０５が当該録画対象の放送番組を選局していない場合、すなわち、ユーザが当該録画対象の放送番組を視聴中でない場合（Ｓ６０５のＮｏ）、視聴状況判定部５０３は、録画が必要と判定して判定結果を録画番組決定部５０５に返す。判定結果を受けた録画番組決定部５０５は、当該録画対象の放送番組について録画を決定して録画制御部５０６に録画指示をする。録画制御部５０６は、チューナ部１０５に対し当該録画対象の放送番組の放送波の選局を指示するとともに情報記録再生部１１３に対し記録開始を指示する（Ｓ６０６）。
【００４５】
このように、この実施形態の番組記録装置によれば、ユーザが録画対象番組を視聴している場合は録画を実行せず、視聴していない場合にのみ録画を実行するので、記録メディアの消費量を必要最小限にすることができる。また、ユーザが録画対象番組を視聴する場合に録画設定を解除しなくても録画が実行されないので、録画設定の復帰操作を忘れて録画に失敗することを防ぐことができる。
【００４６】
次に、図７を参照して、この実施形態の番組記録装置におけるユーザの視聴傾向に基づく録画動作の他の動作例について詳細に説明する。図７は、この実施形態に係る番組記録装置１００の録画動作の他の動作例を示すフローチャートである。
【００４７】
システム制御部１０２の視聴状況記録部５０１は、チューナ部１０５や出力制御部１０９、情報記録再生部１１３などを監視して、情報記録装置１００におけるユーザの番組視聴状況を視聴情報として取得するとともに、視聴状況記録部５０１の記憶領域に視聴情報の履歴を蓄積する（Ｓ７０１）。例えば、情報記録装置１００が放送番組を受信しそのまま音声出力部１１１および画像出力部１１２に出力しているような場合、視聴状況記録部５０１は、ユーザが当該放送番組を視聴中であると判定して当該放送番組のチャンネル情報や時刻情報などを視聴情報として取得し、視聴状況記録部５０１の記録領域に蓄積する。また、番組記録装置１００が放送番組を受信し録画をしている場合、視聴状況記録部５０１は、チューナ部１０５から録画中の放送波のチャンネル情報や時刻情報などの視聴情報を取得し、視聴状況記録部５０１の記録領域に蓄積する。
【００４８】
嗜好抽出部５０２は、視聴状況記録部５０１に蓄積されたユーザの番組視聴状況（視聴情報）を参照して、ユーザの放送番組の視聴傾向を抽出して集計する（Ｓ７０２）。視聴傾向の集計は、例えば、一週間単位や一ヶ月単位での選局回数や録画回数の多い時間帯または放送番組名などを抽出して行われる。図２に示すＥＰＧ情報２０１において、２０時から２１時までＡ放送局を選局する傾向があること、すなわち当該時間帯にＡ放送局の放送を視聴する傾向があることが集計結果として得られた場合、嗜好抽出部５０２は、ＥＰＧ記憶部５０８から当該時間帯の放送番組名２０５ａとして「火星大紀行」を読み出し、視聴傾向の高い放送番組名の予測結果として嗜好抽出部５０２の記憶領域に記録する。なお、視聴傾向の高い放送番組の管理（予測結果の管理）は、放送番組名単位で行われてもよいし、チャンネル情報と時刻情報との組合せ単位で行われてもよい。
【００４９】
嗜好抽出部５０２は、当該視聴傾向の高い放送番組の中から所定の頻度で選局されまたは録画される放送番組について録画候補番組リストに追加するよう予約管理部５０４に指示する。指示を受けた予約管理部５０４は、嗜好抽出部５０２が抽出した放送番組名に基づいてＥＰＧ記憶部５０８から当該放送番組に対応する録画設定情報を読み出し、録画候補番組リストを生成する（Ｓ７０３）。例えば、図２に示す放送番組「火星大紀行」の視聴傾向が高いとして嗜好抽出部５０２から「火星大紀行」の録画設定指示を受けた場合、予約管理部５０４は、ＥＰＧ情報記憶部５０８から「火星大紀行」に対応する録画設定情報として、チャンネル情報２０４ａとして１、開始時刻情報として２０時、終了時刻情報として２１時というＥＰＧ情報を読み出す。そして、予約管理部５０４は、開始時刻情報３０４を２０時、終了時刻情報３０５を２１時、チャンネル情報３０６を１として、録画候補番組リストに追加する。図３に示す例では、「火星大紀行」に対応する録画設定情報が、放送番組情報３０８ａとして録画候補番組リスト３０１に追加されている様子が示されている。
【００５０】
録画番組決定部５０５は、図示しないシステムクロックおよび予約管理部５０４に記憶された録画候補番組リストを監視している（Ｓ７０４）。録画候補番組リストの年月日情報３０２および開始時刻情報３０４が現在の年月日および時刻と一致しない場合（Ｓ７０４のＮｏ）、待機状態が維持される（Ｓ７０１）。
【００５１】
録画候補番組リストの年月日情報３０２および開始時刻情報３０４が現在の年月日および時刻と一致した場合（Ｓ７０４のＹｅｓ）、すなわち、録画候補番組リストのいずれかの録画設定情報の録画開始時刻になった場合、録画番組決定部５０５は、該当する録画設定情報の録画時間帯が重複していないか予約管理部５０４の録画候補番組リストを確認する（Ｓ７０５）。図３に示す録画候補番組リスト３０１の例では、同一の曜日の２０時から２１時までの時間帯に、番組名情報３０７が「火星大紀行」の録画設定情報３０８ａと、同じく「ドラマアワー」の録画設定情報３０８ｅとが存在し、重複している。
【００５２】
確認の結果重複する録画設定情報が存在する場合（Ｓ７０５のＹｅｓ）、録画番組決定部５０５は、重複するそれぞれの録画設定情報に対応する放送番組が現在視聴中であるかどうか視聴状況判定部５０３に問い合わせる（Ｓ７０６）。問い合わせを受けた視聴状況判定部５０３は、視聴状況記録部５０１を参照して当該放送番組を現在視聴中であるか判定して判定結果を録画番組決定部５０５に返す。
【００５３】
判定の結果、重複する放送番組のうちいずれか一方の放送番組を視聴中である場合（Ｓ７０６のＹｅｓ）、録画番組決定部５０５は、視聴中でない方の放送番組の録画を決定して録画制御部５０６に録画を指示する。録画制御部５０６は、対応する録画設定情報に基づいてチューナ部１０５に選局を指示し、情報記録再生部１１３に記録開始を指示する（Ｓ７０７）。例えば、図３に示す録画候補番組リスト３０１の例において、ユーザが放送番組「火星大紀行」を視聴中である場合、録画制御部５０６は、録画設定情報３０８ｅを参照してチューナ部１０５にチャンネル「８」の選局を指示するとともに情報記録再生部１１３に記録開始を指示する。この結果、ユーザが視聴していない「ドラマアワー」について録画が実行される。
【００５４】
判定の結果、重複する放送番組のうちいずれも視聴していない場合、または、重複する録画設定情報が３以上存在しユーザが視聴していない放送番組が２以上存在する場合（Ｓ７０６のＮｏ）、録画番組決定部５０５は、重複する設定情報のうちユーザの視聴傾向の高い放送番組がどれか嗜好抽出部５０２に問い合わせる。問い合わせを受けた嗜好抽出部５０２は、ユーザの視聴頻度の高い放送番組を判定して判定結果を録画番組決定部５０５に返す。嗜好抽出部５０２の判定結果を受け取ると、録画番組決定部５０５は、重複する録画設定情報の中から視聴頻度の最も高い放送番組の録画を決定して録画制御部５０６に録画を指示する。録画制御部５０６は、対応する録画設定情報に基づいてチューナ部１０５に選局を指示し、情報記録再生部１１３に記録開始を指示する（Ｓ７０８）。
【００５５】
ステップＳ７０５における録画番組決定部５０５の確認の結果、重複する録画設定情報が存在しない場合（Ｓ７０５のＮｏ）、録画番組決定部５０５は、該当する録画設定情報を予約管理部５０４に記憶された録画候補番組リストから読み出して録画開始の可否を視聴状況判定部５０３に問い合わせる（Ｓ７０９）。
【００５６】
問い合わせを受けた視聴状況判定部５０３は、視聴状況記録部５０１を参照して現在の視聴状況を確認する。確認の結果、チューナ部１０５が当該録画対象の放送番組を選局し、出力制御部１０９が当該放送番組を出力している場合、すなわち、ユーザが当該録画対象の放送番組を視聴中の場合（Ｓ７０９のＹｅｓ）、視聴状況判定部５０３は、録画不要と判定して判定結果を録画番組決定部５０５に返す。判定結果を受けた録画番組決定部５０５は、録画を開始せず待機状態が維持される（Ｓ７０１）。
【００５７】
確認の結果、チューナ部１０５が当該録画対象の放送番組を選局していない場合、すなわち、ユーザが当該録画対象の放送番組を視聴中でない場合（Ｓ７０９のＮｏ）、視聴状況判定部５０３は、録画が必要と判定して判定結果を録画番組決定部５０５に返す。判定結果を受けた録画番組決定部５０５は、当該録画対象の放送番組の録画を決定して録画制御部５０６に指示する。指示を受けた録画制御部５０６は、チューナ部１０５に対し当該録画対象の放送番組の放送波の選局を指示するとともに情報記録再生部１１３に対し記録開始を指示する（Ｓ７１０）。
【００５８】
このように、この実施形態の番組記録装置によれば、ユーザの視聴傾向に基づいて録画候補番組リストを生成した結果、同一時間帯に録画すべき放送番組が重複した場合、ユーザが視聴していない録画設定情報が適用されて録画が実行されるので、いわゆる裏番組の録画が可能になり、記録メディアの必要量を最小限にすることができる。また、この実施形態の番組記録装置によれば、同一時間帯に録画すべき放送番組が重複した場合、視聴傾向の高順位の録画設定情報を優先して適用されて録画が実行されるので、ユーザの嗜好に合わせた録画が可能になるとともに記録メディアの必要量を最小限にすることができる。
【００５９】
次に、本発明に係る第２の実施形態の番組記録装置について説明する。図８は、本発明に係る第２の実施形態の番組記録装置の全体構成および機能構成を示す図である。なお、図１および２と同一の構成部分については同一の符号を付して示し、重複する説明は省略する。
【００６０】
図８に示すように、この実施形態の番組記録装置８０１は、互いに制御信号線としてのバス８０９により接続されたＣＰＵ部８０２、記憶部８０３、メモリ部８０４、入力部８０５、ＮＩＣ部８０６、表示出力部８０７および音声出力部８０８などを備えたコンピュータである。
【００６１】
ＣＰＵ部８０２は、例えばマイクロプロセッサなどの演算装置である。記憶部８０３は、ハードディスク装置やＣＤ、ＤＶＤなどのメディア記録再生装置である。メモリ部８０４は、例えばＲＡＭやＲＯＭなどの記憶装置である。入力部８０５は、例えばマウスやキーボードなどが接続された入力インタフェースである。ＮＩＣ部８０６は、ネットワーク８１０と接続するためのネットワークインタフェースである。表示出力部８０７は、例えば液晶表示装置などを接続する出力インタフェースである。ただし、表示出力部８０７は、液晶表示装置などの表示装置を備えてもよい。音声出力部８０８は、例えばスピーカなどを接続する出力インタフェースである。ただし、音声出力部８０８は、スピーカなどの出力装置を備えてもよい。すなわち、この番組記録装置８０１は、パソコンなどのコンピュータと同様の基本的構成からなる。
【００６２】
メモリ部８０４には、プログラムとして実現される復号部１０８、ＥＰＧ画面構成部１１０、操作画面構成部１３３、視聴状況記録部５０１と嗜好抽出部５０２と視聴状況判定部５０３とを備えたシステム制御部１０２、予約管理部５０４と録画番組決定部５０５と録画制御部５０６とを備えた録画管理部１０３、および、ＥＰＧ情報取得部５０７とＥＰＧ情報記憶部５０８とを備えたＥＰＧ管理部１０４を有している。なお、これらの各構成部分はメモリ部８０４ではなく、記憶部８０３に格納されていてもよい。
【００６３】
この実施形態の番組記録装置８０１は、放送番組としてサーバ８１１からネットワーク８１０を介して伝送されるストリーミングデータを受信し、同じくＥＰＧ情報としてサーバ８１１からネットワーク８１０を介して伝送されるＥＰＧ情報を用いる点のみが第１の実施形態の番組記録装置１００と異なっている。そして、第１の実施形態と同様の動作を行うことで、ユーザの視聴傾向に応じたストリーミング放送の記録を実現することができる。
【００６４】
第２の実施形態の番組記録装置においても、ユーザが録画対象番組を視聴している場合は録画を実行せず、視聴していない場合にのみ録画を実行するので、記録メディアの消費量を必要最小限にすることができる。また、ユーザが録画対象番組を視聴する場合に録画設定を解除しなくても録画が実行されないので、録画設定の復帰操作を忘れて録画に失敗することを防ぐことができる。
【００６５】
また、ユーザの視聴傾向に基づいて録画候補番組リストを生成した結果、同一時間帯に録画すべき放送番組が重複した場合、ユーザが視聴していない録画設定情報が適用されて録画が実行されるので、いわゆる裏番組の録画が可能になり、記録メディアの必要量を最小限にすることができる。また、この実施形態の番組記録装置によれば、同一時間帯に録画すべき放送番組が重複した場合、視聴傾向の高順位の録画設定情報を優先して適用されて録画が実行されるので、ユーザの嗜好に合わせた録画が可能になるとともに記録メディアの必要量を最小限にすることができる。
【００６６】
なお、本発明は上記実施形態のみに限定されるものではない。
上記説明においては、ディジタルテレビジョン放送を受信して録画する番組記録装置として説明したが、これには限定されない。すなわち、アナログ放送を受信して記録するように構成してもよい。この場合、暗号解除部や逆多重化部、Ｄ／Ａ変換部などは不要となり、復号部の代わりに復調部などを備えることになる。また、テレビジョン放送に限定されるものでもなく、音声のみの放送であっても本発明を適用することができる。
【００６７】
上記実施形態におけるソフトウェアは、フレキシブルディスクなどのコンピュータが読み出し可能な記憶媒体に記憶されていても良く、また、ソフトウェア（プログラム）単体として伝送されるものでもよい。この場合、記憶媒体に記憶されたソフトウェア（プログラム）をコンピュータが読み出したり、ＬＡＮやインターネッ上のサイト（サーバ）からダウンロードしてインストールすることにより、各実施形態における処理が可能になる。
つまり、本発明におけるソフトウェア（プログラム）は、コンピュータと独立した記憶媒体に記憶されているものだけに限らず、ＬＡＮやインターネットなどの伝送媒体を介して流通されるものも含まれる。
【００６８】
なお、記憶媒体としては、上記フレキシブルディスクの他、例えば磁気ディスク、光ディスク（ＣＤ−ＲＯＭ、ＣＤ−Ｒ、ＤＶＤなど）、光磁気ディスク（ＭＯなど）、半導体メモリなど、プログラムを記憶でき、かつコンピュータが読み取り可能な記憶媒体であれば、その記憶形式はいずれの形態であっても良い。
【００６９】
また、記憶媒体からコンピュータにインストールされたプログラムの指示に基づき、コンピュータ上で稼動しているＯＳ（オペレーティングシステム）や、データベース管理ソフト、ネットワークソフトなどのＭＷ（ミドルウェア）などが本実施形態を実現するための各処理の一部を実行しても良い。
さらに、記憶媒体は、コンピュータと独立した媒体に限らず、ＬＡＮやインターネットなどにより伝送されたプログラムをダウンロードして記憶または一時記憶した記憶媒体も含まれる。また、記憶媒体は一つに限らず、複数の媒体から本実施形態における処理が実行される場合も本発明における記録媒体に含まれ、媒体構成はいずれの構成であっても良い。
【００７０】
なお、コンピュータは、記憶媒体に記憶されたプログラムに基づき、本実施形態における各処理を実行するものであって、パソコンなどの一つからなる装置、複数の装置がネットワーク接続されたシステムなどのいずれの構成であっても良い。
【００７１】
また、コンピュータとは、パソコンに限らず、情報処理機器に含まれる演算処理装置、マイコンなども含み、プログラムによって本発明の機能を実現することが可能な機器、装置を総称している。
【産業上の利用可能性】
【００７２】
本発明は、電子機器製造業、映像機器製造業などに適用できる。
【図面の簡単な説明】
【００７３】
【図１】本発明の第１の実施形態に係る番組記録装置の全体構成を示す図である。
【図２】この実施形態に係る番組記録装置におけるＥＰＧ情報の表示例を示す図である。
【図３】この実施形態に係る番組記録装置における録画候補番組リストの例を示す図である。
【図４】この実施形態に係る番組記録装置における入力待ち表示例を示す図である。
【図５】この実施形態に係る番組記録装置における機能構成を示す図である。
【図６】この実施形態に係る番組記録装置の動作例を示すフローチャートである。
【図７】この実施形態に係る番組記録装置の他の動作例を示すフローチャートである。
【図８】本発明の第２の実施形態に係る番組記録装置の全体構成を示す図である。
【符号の説明】
【００７４】
１００…番組記録装置、１０１…指示入力部、１０２…システム制御部、１０３…録画管理部、１０４…ＥＰＧ管理部、１０５…チューナ部、１０６…暗号解除部、１０７…逆多重化部、１０８…復号部、１０９…出力制御部、１１０…ＥＰＧ画面構成部、１１１…音声出力部、１１２…画像出力部、１１３…情報記録再生部、１１４…バス、１１５…アンテナ、１２１…音声復号部、１２２…映像復号部、１２３…ＥＰＧ復号部、１３１…Ｄ／Ａ変換部、１３２…表示制御部、１３３…操作画面構成部、５０１…視聴状況記録部、５０２…嗜好抽出部、５０３…視聴状況判定部、５０４…予約管理部、５０５…録画番組決定部、５０６…録画制御部、５０７…ＥＰＧ情報取得部、５０８…ＥＰＧ情報記憶部、８０１…番組記録装置、８０２…ＣＰＵ部、８０３…記憶部、８０４…メモリ部、８０５…入力部、８０６…ＮＩＣ部、８０７…表示出力部、８０８…音声出力部、８０９…バス、８１０…ネットワーク、８１１…サーバ。
【図１】
2005176070.tif 000003
【図２】
2005176070.tif 000004
【図３】
2005176070.tif 000005
【図４】
2005176070.tif 000006
【図５】
2005176070.tif 000007
【図６】
2005176070.tif 000008
【図７】
2005176070.tif 000009
【図８】
2005176070.tif 000010